(57)【要約】【課題】遊技盤の遊技機枠への適切な取り付けを図る。【解決手段】遊技盤１１０の左側部が遊技機枠７１の前側から遊技主体収納室９５に挿入されて遊技主体受部９８と遊技主体押圧部９７との間に挿入された後、遊技盤１１０の右側部が矢印Ｆで示すように後側に押されると、遊技盤１１０が遊技主体受部９８と遊技主体押圧部９７とで前後方向から挟まれた左側部を回転中心として後側に回転するのに伴い、突起１４１の斜面１４６が縁１５１を滑りつつ、遊技盤１１０が全体的に上方にせり上がり、遊技盤１１０の下面が遊技主体棚１０３の上面から離れ、可動枠７５のロック操作部１０１が遊技盤１１０のロック挿入孔１２４に後側から挿入されて前側に突出するとともに、突起１３５の下面が遊技主体棚１０３の上面に接触して搭載された後、ロック操作部１０１が回転操作されると、遊技盤１１０が可動枠７５に取り付けられる。【選択図】図１
2005304548.tif 000002
【特許請求の範囲】
【請求項１】
遊技盤の左側部を遊技主体収納室の左側部に嵌め込み、遊技盤の左側部の下面を遊技主体収納室の下面を形成する遊技主体棚の左側部の上に搭載し、遊技盤の右側部を裏側に押し、上記遊技主体収納室に嵌め込まれた遊技盤の左側部を回転中心として、遊技盤を全体的に回転させることによって、遊技盤を遊技主体収納室に格納するパチンコ機において、遊技盤の下面に突起を左右に離して設けられたことを特徴とするパチンコ機。
【請求項２】
左右の突起における遊技盤の下面からの高さを同じに形成したことを特徴とする請求項１記載のパチンコ機。
【請求項３】
遊技主体棚が遊技機枠の遊技設置構造体に設置する下面と平行に形成されたことを特徴とする請求項１記載のパチンコ機。
【請求項４】
左右の突起には斜面が遊技盤を遊技主体収納室の方向に押す場合の前側に位置して設けられたことを特徴とする請求項１記載のパチンコ機。
【発明の詳細な説明】
【技術分野】
【０００１】
本発明は、遊技盤が遊技機枠に適切に取り付けられるパチンコ機に関する。
【背景技術】
【０００２】
パチンコ機は、遊技部品の組み付けられた遊技盤を遊技機枠に交換可能に取り付けるようになっている。しかしながら、遊技盤の横長な帯状の下面を遊技機枠における遊技主体収納室の下面を構成する横長な帯状の遊技主体棚の上に接触して搭載する構造であるので、例えば、遊技盤の左側部を遊技主体収納室の左側部に嵌め込み、遊技盤の左側部の下面を遊技主体収納室の左側部の上に搭載し、遊技盤の右側部を裏側に押し、上記遊技主体収納室に嵌めこまれた遊技盤の左側部を回転中心として、遊技盤を全体的に回転させることによって、遊技盤を遊技主体収納室に格納するようにした場合、遊技盤が帯状の下面を全体的に帯状な遊技主体棚に接触した状態で回転されるので、遊技盤を遊技主体収納室小さな力で適切に格納することができないという欠点がある。
【特許文献１】特開平１０−１３７３９０号公報
【発明の開示】
【発明が解決しようとする課題】
【０００３】
発明が解決しようとする問題点は、遊技盤を全体的に回転させて遊技機枠の遊技主体収納室に格納する場合、遊技盤を遊技主体収納室小さな力で適切に格納することができないという点である。
【課題を解決するための手段】
【０００４】
本発明に係るパチンコ機は、遊技盤の左側部を遊技主体収納室の左側部に嵌め込み、遊技盤の左側部の下面を遊技主体収納室の下面を形成する遊技主体棚の左側部の上に搭載し、遊技盤の右側部を裏側に押し、上記遊技主体収納室に嵌め込まれた遊技盤の左側部を回転中心として、遊技盤を全体的に回転させることによって、遊技盤を遊技主体収納室に格納するパチンコ機において、遊技盤の下面に突起を左右に離して設けられたことを最も主要な特徴とする。左右の突起における遊技盤の下面からの高さを同じに形成したり、遊技主体棚が遊技機枠の遊技設置構造体に設置する下面と平行に形成されたり、左右の突起には斜面が遊技盤を遊技主体収納室の方向に押す場合の前側に位置して設けられたりすることも特徴とする。
【発明の効果】
【０００５】
本発明に係るパチンコ機は、遊技盤の左側部が遊技主体収納室の左側部に嵌め込まれ、遊技盤の右側部が後側に押され、遊技盤が遊技主体収納室の左側部に嵌め込まれた左側部を回転中心として後側に回転して遊技主体収納室に格納される場合、遊技盤の下面に比べて面積の小さい左右の突起の下面が遊技主体棚の上面に接触し、遊技盤が全体的に後側に回転するので、遊技盤の下面が全体的に遊技主体棚の上面に接触する場合に比べ、小さな押力で遊技盤遊技主体収納室に格納することができる利点がある。左右の突起における遊技盤の下面からの高さが同じであれば、左右の突起の下面が遊技主体棚の上面に接触して搭載された場合、遊技盤の下面が遊技主体棚の上面と平行となるという利点がある。遊技主体棚が遊技機枠の遊技設置構造体に設置する下面と平行に形成されれば、遊技機枠が遊技設置構造体に取り付けられ、遊技盤が遊技機枠に装着された場合、遊技盤に設けられた複数の入賞部品や風車などの各遊技部品が平行な状態となるので、遊技盤の遊技領域を上から下に流下する球の流れ方が一様となり、複数の入賞部品のそれぞれに対する球の入賞の偏りがなく、品質信頼性を向上することができるという利点がある。左右の突起には斜面が遊技盤を遊技主体収納室の方向に押す場合の前側に位置して設けられれば、遊技盤が後側に回転されるのに伴い、斜面が遊技盤の遊技主体棚に対するせり上がるのを誘導し、小さな押力で左右の突起の下面を遊技主体棚の上面に接触しつつ搭載することができるという利点がある。
【発明を実施するための最良の形態】
【０００６】
図１−図５は、最良な実施の形態である。図１は、遊技盤１１０を遊技主体収納室９５に装着する平面的な工程を示す。図２は、遊技盤１１０を遊技主体収納室９５に装着する側面的な工程を示す。図３は、遊技機枠７１および遊技盤１１０を前側から示す。図４は、遊技盤１１０を裏側から示す。図５は、遊技盤１１０と映写装置１と遊技機枠７１との関係を示す。この明細書において、「前」、「後」、「裏」、「上」、「下」、「左」、「右」などの方向は、図３の状態に遊技機枠７１および遊技盤１１０を置いて前側から見た場合に特定される方向である。
【０００７】
図３を参照し、遊技機としてのパチンコ機における遊技機枠７１の前側の構造および遊技盤１１０の前側の構造について説明する。遊技機枠７１は、遊技店の島と呼ばれる図外の遊技設置構造体に取り付けるための外枠と呼ばれるような固定枠７２を備える。固定枠７２は、前後方向に開放された縦長な長方形の空間を囲む額縁形状である。固定枠７２には、前枠または中枠と呼ばれるような可動枠７５が、固定枠７２の下部前面に設けられた幕板部７３よりも上方に位置し、左側の金属製のヒンジ７６で前側横方向に片開き可能にかつ着脱可能（交換可能）に取り付けられる。可動枠７５は、前後方向に開放された縦長な長方形の空間を囲む額縁形状の可動枠本体７７と、可動枠本体７７の裏面に設けられた遊技主体収納構造体７８とを備える。可動枠７５が、閉じられた場合、図外の金属製のロック機構によって、開閉不能に固定枠７２に支持される。可動枠本体７７には、パネル枠８１および球皿構造体８２が、左側に設けられる図外のヒンジで前側横方向に片開き可能に取り付けられる。パネル枠８１は、前後方向に開放された窓８３を囲む額縁形状である。パネル枠８１の裏面には、ガラスまたは合成樹脂からなる光透過性を有する前面パネル８４が、窓８３を覆う格好で取り付けられる。
【０００８】
パネル枠８１が、閉じられた場合、金属製のロック機構８８によって、可動枠本体７７に、開閉不能に支持される。球皿構造体８２が、閉じられた場合、金属製のロック機構９４によって、可動枠本体７７に、開閉不能に支持される。可動枠７５が、閉じられた場合、図外のロック機構によって、固定枠７２に、開閉不能に支持される。可動枠本体７７の右縦片には、施錠装置８６とロック機構８８；９４および図外のロック機構が、設けられる。可動枠７５やパネル枠８１および球皿構造体８２が、閉じられ、図外のロック機構やロック機構８８；９４で開閉不能に支持された状態において、遊技店の店員が、図外のキープレート（鍵）を遊技機枠７１の前側から施錠装置８６の鍵穴８７に挿入し、当該キープレートを例えば右側に９０度回転操作すると、固定枠７２と可動枠７５との図外のロック機構による支持形態が解除される。この支持形態の解除後に、店員が、可動枠７５を前側に引くことによって、可動枠７５は、ヒンジ７６を開閉中心として前側に片開きされる。また、上記施錠装置８６の鍵穴８７に挿入されたキープレートが、例えば左側に９０度回転操作されると、可動枠７５とパネル枠８１とのロック機構８８による支持形態が解除される。この支持形態の解除後に、店員が、パネル枠８１を前側に引くことによって、パネル枠８１は、図外のヒンジを開閉中心として前側に片開きされる。このように、パネル枠８１が、前側に開かれた状態において、店員が、可動枠７５の前面のロック解除操作体８９を操作すると、可動枠７５と球皿構造体８２とのロック機構９４による支持形態が解除される。この支持形態の解除後に、店員が、球皿構造体８２を前側に引くことによって、球皿構造体８２は、図外のヒンジを開閉中心として前側に片開きされる。球皿構造体８２の前面には、球収納部９０と発射操作機構９１とを備える。球収納部９０は、遊技に使用する球を受ける上方に開放された形態である。球皿構造体８２の裏面には、球を球収納部９０に供給する球取入口９２と、球収納部９０から発射機構１０５に球を供給する球供給口９３とを備える。
【０００９】
遊技主体収納構造体７８は、前側に開放された遊技主体収納室９５と、遊技主体収納室９５の後壁に形成された前後方向に貫通する中央開口部９６とを備える。遊技主体収納室９５の左側部には、遊技盤１１０を裏側から前側に押圧する板ばねにより構成された遊技主体押圧部９７と、遊技主体押圧部９７で前側に押された遊技盤１１０を前側から受け止める遊技主体受部９８とを備える。遊技主体収納室９５の右側部には、遊技主体ロック機構９９を備える。遊技主体ロック機構９９は、遊技主体収納構造体７８から前側に突出する台座１００の中心にロック操作部１０１を回転可能に備える。ロック操作部１０１は、台座１００から前側に突出した操作軸の端部に固定された横長な形態である。
【００１０】
遊技主体収納構造体７８における遊技主体収納室９５よりも下部における前面には、遊技主体棚１０３を備える。遊技主体棚１０３の上面は、左右に水平な帯状の平坦面であって、可動枠７５が固定枠７２に取り付けられた場合、固定枠７２の下面７２ａと平行な形態となる。よって、可動枠７５の取り付けられた固定枠７２の下面７２ａが図外の遊技設置構造体の遊技機を設置するための水平に形成された搭載上面に接触し、固定枠７２が遊技設置構造体に取り付けられた場合、遊技主体棚１０３の上面は水平面となる。遊技主体棚１０３の前縁から下方に延設された前壁１０４の前面には、発射機構１０５、発射レール１０６、ファール球取入口部１０７、前横樋１０８を備える。発射レール１０６は、球皿構造体８２の球供給口９３から供給された１個の球を受け取る。発射機構１０５は、電力供給と遮断とを交互に受けることによって、球収納部９０から発射レール１０６に供給された１個の球を遊技盤１１０の遊技領域１１２に向けて発射する。発射レール１０６は、発射機構１０５から発射された球を、遊技盤１１０における発射通路１１５の入口に誘導する。ファール球取入口部１０７は、遊技盤１１０の発射通路１１５から落下する球を取り込む。ファール球取入口部１０７に取り込まれた球は、前横樋１０８を経由して球取入口９２に排出される。前横樋１０８は、可動枠７５の裏部に取り付けられた払出機構１２８から払い出された球とファール球取入口部１０７から排出された球とを、遊技機枠７１の内部から排出される球として、前横樋１０８の球排出口１０９から球皿構造体８２の球取入口９２に誘導する、通路を形成する。
【００１１】
可動枠７５の裏側には映写装置１が設けられる。映写装置１は、図５にも示すように、遮光性合成樹脂からなる前側に開放した箱形の映写装置筐体２に、投影機３、反射鏡４、スクリーン５を組み付けた、ユニットと呼ばれる単一構造体として形成される。映写装置１のスクリーン５が遊技機枠７１における可動枠７５の裏側からの中央開口部９６に収納され、スクリーン５の前面が遊技主体収納室９５の裏壁の前面と同一面内に位置される。そして、映写装置１が遊技主体収納構造体７８の後壁の裏面に取り付けられることによって、映写装置１が可動枠７５に取り付けられる。
【００１２】
遊技機枠７１に交換可能に取り付けられる遊技主体を構成する遊技盤１１０の前側の構造について説明する。遊技盤１１０は、非遊技領域を形成する遮光性合成樹脂からなる周辺飾り構造体１１１と、周辺飾り構造体１１１で囲まれた内側の遊技領域１１２を形成する光透過性合成樹脂からなる板状構造体１１３とを備える。周辺飾り構造体１１１は、遊技主体収納室９５に格納される方形板状の中央に、前後方向に貫通する丸形開口部１１４と、丸形開口部１１４の左側部に前側開放縦溝形状の発射通路１１５とを備える。発射通路１１５の左側面と当該左側面から右側に弧状に延長する丸形開口部１１４の上部弧状側面とには、ステンレスのような金属帯板状の外バンド１１６が、一連に付設される。
【００１３】
発射通路１１５の右側面および当該右側面から右側に弧状に延長する丸形開口部１１４の下部弧状側面は、発射通路１１５の縦形の底部と丸形開口部１１４より前方に突出する内バンド１１７を形成する。内バンド１１７における下部弧状側面の最下部には、アウト口１１８を囲むとともに球を遊技盤１１０の前側から裏側に排出するハートと呼ばれるアウト口部１１９が、内バンド１１７から内側に突出した格好に連接される。内バンド１１７およびアウト口部１１９は、周辺飾り構造体１１１と一緒に合成樹脂により形成される。よって、発射通路１１５以外における外バンド１１６と内バンド１１７とが、遊技領域１１２を囲む丸形開口部１１４である。アウト口部１１９は、遊技領域１１２の最下部に配置される。発射通路１１５は、発射機構１０５から発射された球を遊技領域１１２に案内する、通路である。
【００１４】
発射機構１０５から発射された球を発射通路１１５から遊技領域１１２に放出する発射通路１１５の出口には、戻り球防止弁１２０が、設けられる。戻り球防止弁１２０の取付部は、内バンド１１７の端部に沿うように、周辺飾り構造体１１１に取り付けられる。戻り球防止弁１２０は、外バンド１１６や内バンド１１７よりも厚さの薄い薄帯板状のステンレスまたは合成樹脂により形成される板ばねである。戻り球防止弁１２０が、周辺飾り構造体１１１に取り付けられた場合、戻り球防止弁１２０は、取付部の存在する基部から外バンド１１６の側に位置する先端部に行くにしたがって、発射通路１１５の出口から遊技領域１１２の側に徐々に傾斜する格好になる。戻り球防止弁１２０の先端は、外バンド１１６の遊技領域１１２の側に位置する内側面に接触するかまたは接触する程度に近づいていればよい。この接触する程度は、戻り球防止弁１２０の先端と外バンド１１６の内側面との間に１個の球の直径よりも小さい隙間が存在し、遊技領域１１２から外バンド１１６の内側面に沿って発射通路１１５の側に逆行する球が、上記戻り球防止弁１２０の先端と外バンド１１６の内側面との間に引っかかることもなく通過することもない範囲であればよい。
【００１５】
そして、発射機構１０５から発射された球が、発射通路１１５から戻り球防止弁１２０を押し開けることによって、戻り球防止弁１２０の先端部が、外バンド１１６から離れるように、戻り球防止弁１２０の取付部を基準として、戻り球防止弁１２０が、全体的に遊技領域１１２の側に弾性変形する。そして、戻り球防止弁１２０を押し開けた球が、戻り球防止弁１２０から遊技領域１１２の側に離れることによって、戻り球防止弁１２０の先端部が、外バンド１１６に近づくように、戻り球防止弁１２０が、全体的に図３に示す形態に復元する。このように戻り球防止弁１２０が、復元した形態において、発射通路１１５から遊技領域１１２に発射された球が、遊技領域１１２から発射通路１１５の側に逆行してきた場合、当該球が、戻り球防止弁１２０に衝突し、戻り球防止弁１２０が、当該球を遊技領域１１２から発射通路１１５に取り込まれることを防止して遊技領域１１２に跳ね返す。
【００１６】
周辺飾り構造体１１１の下縁部には、不正防止バンド１２２が、直線的に取り付けられる。不正防止バンド１２２は、弾性の有る合成樹脂で形成されたものであって、パネル枠８１が、閉じられることによって、不正防止バンド１２２が前面パネル８４の裏面（遊技盤１１０の側に位置する面）に接触し、遊技者が、ピアノ線や合成樹脂製薄帯板などの不正操作部材を遊技領域１１２よりも下方の図３に示す遊技機枠７１の前側から遊技機枠７１の前面構成部品間の隙間を経由して遊技領域１１２に挿入しようとした場合、パネルの内側面に接触した不正防止バンド１２２が、不正操作部材を受け止めて不正操作部材の遊技領域１１２への侵入を防止する。
【００１７】
周辺飾り構造体１１１の右側の上下部には、遊技盤１１０を遊技機枠７１に固定するための取付部１２３が、設けられる。取付部１２３は、遊技主体収納室９５に設けられた遊技主体ロック機構９９と係合するロック挿入孔１２４を備える。周辺飾り構造体１１１の右側の下部には、証紙台１２６が、前後方向に開閉可能に設けられる。証紙台１２６が、周辺飾り構造体１１１との連結部である図外のヒンジを開閉中心として前方に開かれることによって、下部の取付部１２３が、右周辺飾り構造体１１１の前側から見える格好となる。そして、証紙台１２６が、上記ヒンジを開閉中心として後方に閉じられ、証紙台１２６が、証紙台受部１２７で受け止められることによって、取付部１２３が、証紙台１２６で覆われて周辺飾り構造体１１１の前側から見えなくなる。閉じられた証紙台１２６の前面には、遊技盤１１０が、図外の組合の検査に合格して販売の認可を受けたことを示すための証紙が、貼り付けられる。
【００１８】
遊技領域１１２を形成する光透過性合成樹脂からなる板状構造体１１３には、センター飾り１３１、一般入賞部品１３２、作動入賞部品１３３、始動入賞部品１３４、可変入賞部品１３５、遊技釘１３６などの遊技部品が、周辺飾り構造体１１１の発射通路１１５を除く丸形開口部１１４で囲まれた光透過性を有する遊技領域１１２に取り付けられる。一般入賞部品１３２は、球を遊技領域１１２から取り込み、当該取り込んだ球を遊技領域１１２の裏側に排出する、取込形である。一般入賞部品１３２の内部には、図外の一般入賞球検出器を備える。作動入賞部品１３３は、球を遊技領域１１２から取り込み、当該取り込んだ球を遊技領域１１２の裏側に取り込むことなく、遊技領域１１２に排出する、通過形である。作動入賞部品１３３の内部には、図外の作動入賞球検出器を備える。始動入賞部品１３４は、一対の羽根１３８の下部を開閉中心とし、一対の羽根１３８を図外の始動駆動源で左右方向に開閉する電動チューリップと呼ばれる構造である。始動入賞部品１３４は、球を遊技領域１１２から取り込み、当該取り込んだ球を遊技領域１１２の裏側に排出する、取込形である。
【００１９】
始動入賞部品１３４の左右一対の羽根１３８は、閉じた場合でも、球を受け入れ得る形態、受け入れない形態のいずれでも適用できる。始動入賞部品１３４の内部には、図外の始動入賞球検出器を備える。可変入賞部品１３５は、横長な長方形状の開閉体１３９の下部を開閉中心とし、開閉体１３９を図外の可変駆動源で前後方向に開閉するアタッカーまたは大入賞口と呼ばれる構造である。可変入賞部品１３５の開閉体１３９で閉じたり開かれたりする空洞形状の球受入部の内部には、カウントスイッチと呼ばれる図外の普通入賞球検出器と、Ｖスイッチと呼ばれる図外の特定入賞球検出器とを備える。可変入賞部品１３５の球受入部に取り込まれた球は、普通入賞球検出器または特定入賞球検出器を通過した後に遊技盤１１０の裏側に排出される。よって、可変入賞部品１３５は、取込形である。
【００２０】
図４を参照し、遊技盤１１０の裏側および下側の構造について説明する。遊技盤１１０の裏面には、集合樋１４０が設けられる。集合樋１４０は、板状構造体１１３の裏面に、図外のタッピングスクリューのような止ねじで取り付けられることによって、図３に示す一般入賞部品１３２、始動入賞部品１３４、可変入賞部品１３５、アウト口１１８から遊技盤１１０の裏側に排出された球を下方に誘導して排出する通路を、板状構造体１１３の裏面との間に形成する。遊技盤１１０の下面には、突起１４１が、左右に離れて設けられる。突起１４１は、周辺飾り構造体１１１の下面１４２（この最良な実施の形態の場合、遊技盤１１０の下面を構成している）から下方に方形に突出する。突起１４１の下面１４３は、周辺飾り構造体１１１の下面１４２と平行な平坦面である。左右の突起１４１における下面１４３は、遊技盤１１０の下面１４２と平行な１つの水平面内に位置する。つまり、左右の突起１４１における周辺飾り構造体１１１の下面１４２からの高さは、同じである。下面１４３と裏面１４４と取付部１２３の側に位置する右側面１４５とが交差する隅部には、三角形の斜面１４６が設けられる。斜面１４６の底辺１４７は、突起１４１の下面１４３の左縁と裏面１４４の左縁とが交わる交差部と、突起１４１の裏面１４４と右側面１４５とが交わる縁の前後方向中間部とを結び、斜面１４６の頂点１４８は、突起１４１の下面１４３と右側面１４５と周辺飾り構造体１１１の下面１４２とが交わる交差部に位置する。つまり、斜面１４６は、突起１４１の下面１４３から、突起１４１の下面１４３と右側面１４５と周辺飾り構造体１１１の下面１４２とが交わる交差部に行くにしたがって、徐々に傾斜する形状である。突起１４１および斜面１４６は、合成樹脂の成形材料を成形型に注入して周辺飾り構造体１１１を形成する場合に、周辺周辺飾り構造体１１１の成形材料で周辺周辺飾り構造体１１１と一体に形成される。図４において、符号１４９は、図３に示す始動入賞部品１３４の裏突出部分である。裏突出部分１４９は、図３に示す遊技領域１１２から始動入賞部品１３４に入賞した球を遊技盤１１０の裏側に排出する通路、始動入賞部品１３４の羽根１３８を駆動する駆動機構、始動入賞部品１３４の始動入賞球検出器などであって、板状構造体１１３の前面から、板状構造体１１３に形成された逃孔１５０を経由して、板状構造体１１３の裏面に突出する。
【００２１】
図３において、遊技盤１１０は遊技機枠７１に次のように取り付けられる。遊技盤１１０の遊技領域１１２が前側に向けられ、遊技盤１１０が遊技機枠７１の前側から遊技主体収納室９５に挿入され、遊技盤１１０の下部が遊技機枠７１における遊技主体棚１０３の上面に載せられ、遊技盤１１０の左側部が遊技機枠７１の遊技主体受部９８および遊技主体押圧部９７で前後方向から挟まれた後、遊技盤１１０の右側部が後側に押され、遊技機枠７１における遊技主体ロック機構９９のロック操作部１０１が遊技盤１１０の取付部１２３のロック挿入孔１２４に後側から挿入されて前側に突出し、ロック挿入孔１２４の周囲における取付部１２３の裏面が遊技主体ロック機構９９の台座１００の前面と接触した状態において、作業者がロック操作部１０１を例えば右方向に９０度回転操作すると、ロック操作部１０１がロック挿入孔１２４の周りにおける取付部１２３の前面と係合し、遊技盤１１０が可動枠７５に取り付けられる。遊技盤１１０が可動枠７５に取り付けられた場合、一般入賞部品１３２と始動入賞部品１３４および可変入賞部品１３５は、映写装置１のスクリーン５よりも下部に位置する前壁２２の前側に配置され、センター飾り１３１と作動入賞部品１３３と遊技釘１３６および風車１３７は、映写装置１のスクリーン５の前側に配置される。遊技盤１１０が取り付けられた後、可動枠７５が閉じられ、遊技機枠７１における前面の球皿構造体８２およびパネル枠８１が閉じられる。
【００２２】
その状態において、球が球皿構造体８２の球収納部９０に入れられ、遊技者が遊技機枠７１の前面の発射操作機構９１を操作すると、遊技機枠７１の発射機構１０５が球収納部９０から供給された球を１個ずつ発射操作機構９１の操作量に応じた発射力で遊技盤１１０の遊技領域１１２に発射する。遊技領域１１２に発射された球は、センター飾り１３１や遊技釘１３６または風車１３７で流れを変えられるとともに、一般入賞部品１３２と作動入賞部品１３３および始動入賞部品１３４のいずれかに入賞する。また、作動入賞部品１３３への入賞の結果として始動入賞部品１３４の羽根１３８が開閉する。また、始動入賞部品１３４への入賞の結果として可変入賞部品１３５の開閉体１３９が開閉し、この開閉体１３９の開放中において、遊技領域１１２から球が可変入賞部品１３５に入賞する。これらの入賞の結果として、遊技機枠７１の払出機構１２８が遊技機枠７１の裏側のタンク１２９から遊技機枠７１の前側の球収納部９０に賞球としての球を払い出す。
【００２３】
図１および図２を参照し、前記遊技盤１１０が可動枠７５の遊技主体収納室９５に装着される過程について詳述する。図１のａ図に示すように、遊技盤１１０の左側部が遊技機枠７１の前側から遊技主体収納室９５に挿入されて遊技主体受部９８と遊技主体押圧部９７との間に挿入される。このとき、図２のａ図に示すように、遊技盤１１０の左側部における下面１４２が遊技主体棚１０３の上面に載せられる。その後、図１のｂ図において、遊技盤１１０の右側部が矢印Ｆで示すように後側に押されることによって、遊技盤１１０が遊技主体受部９８と遊技主体押圧部９７とで前後方向から挟まれた左側部を回転中心として後側に回転する。これによって、遊技盤１１０の突起１４１における斜面１４６の頂点１４８が遊技主体棚１０３の上面と前壁２２とが交差する縁１５１と出合った後、図２のｂ図に示すように、突起１４１の斜面１４６が縁１５１を滑るのに伴い、遊技盤１１０が全体的に上方にせり上がり、遊技盤１１０の下面１４２が遊技主体棚１０３の上面から離れる。引き続き、図１のｃ図に示すように、遊技盤１１０の右側部が後側に押されることによって、可動枠７５のロック操作部１０１が遊技盤１１０のロック挿入孔１２４に後側から挿入されて前側に突出する。この場合、図２のｃ図に示すように、突起１４１の下面１４３が遊技主体棚１０３の上面に接触して搭載される。
【００２４】
この最良な実施の形態によれば、遊技盤１１０の下面１４２には左右の突起１４１が設けられているので、遊技盤１１０の左側部が遊技主体受部９８と遊技主体押圧部９７との間に挿入され、遊技盤１１０の右側部が後側に押され、遊技盤１１０が遊技主体受部９８と遊技主体押圧部９７とで前後方向から挟まれた左側部を回転中心として後側に回転して遊技主体収納室９５に格納される場合、遊技盤１１０の下面１４２に比べて面積の小さい左右の突起１４１の下面１４３が遊技主体棚１０３の上面に接触し、遊技盤１１０が全体的に後側に回転し、遊技盤１１０の下面１４２が全体的に遊技主体棚１０３の上面に接触する場合に比べ、小さな押力で遊技盤１１０を遊技主体収納室９５に格納することができる利点がある。斜面１４６が突起１４１に対し、遊技盤１１０が遊技主体収納室９５の方向に押される前側に位置しているので、遊技盤１１０が遊技主体受部９８と遊技主体押圧部９７とで前後方向から挟まれた左側部を回転中心として後側に回転されるのに伴い、斜面１４６が遊技盤１１０の遊技主体棚１０３に対するせり上がるのを誘導し、小さな押力で左右の突起１４１の下面１４３を遊技主体棚１０３の上面に接触しつつ搭載することができるという利点がある。
【００２５】
左右の突起１４１における周辺飾り構造体１１１の下面１４２からの高さが同じであるので、左右の突起１４１の下面１４３が遊技主体棚１０３の上面に接触して搭載された場合、遊技盤１１０の下面１４２が遊技主体棚１０３の上面と平行となる。したがって、センター飾り１３１、一般入賞部品１３２、作動入賞部品１３３、始動入賞部品１３４、可変入賞部品１３５、遊技釘１３６などの遊技部品が、遊技盤１１０の下面１４２を基準として遊技盤１１０に水平に取り付けられることによって、遊技盤１１０が遊技主体収納室９５に装着された場合、各遊技部品が平行な状態となるという利点がある。可動枠７５が固定枠７２に取り付けられた場合、遊技主体棚１０３の上面が固定枠７２の下面７２ａと平行な形態となり、可動枠７５の取り付けられた固定枠７２の下面７２ａが図外の遊技設置構造体の遊技機を設置するための水平に形成された搭載上面に接触し、固定枠７２が遊技設置構造体に取り付けられた場合、遊技主体棚１０３の上面は水平面となる。よって、遊技機枠７１が遊技設置構造体に取り付けられ、遊技盤１１０が遊技機枠７１に装着された場合、各遊技部品が平行な状態となるので、遊技領域１１２を上から下に流下する球の流れ方が一様となり、一般入賞部品１３２、作動入賞部品１３３、始動入賞部品１３４、可変入賞部品１３５のそれぞれに対する球の入賞の偏りがなく、品質信頼性を向上することができるという利点がある。
【００２６】
図５を参照し、遊技盤１１０および映写装置１が遊技機枠７１に組み込まれたパチンコ機について説明する。投影機３の液晶表示器８が電気的に画像を表示し、投影機３のＬＥＤのような投影光源７が電気的に光を画像の表示されている液晶表示器８に照射し、その投影光Ｌが投影機３の投影レンズ９で拡大され、その拡大された投影光Ｌが反射鏡４で前側に反射してスクリーン５の全域に上記液晶表示器８で表示された画像を拡大して映写し、遊技機枠７１の前側から遊技者がスクリーン５に映し出された画像を遊技機枠７１の閉じられたパネル枠８１の前面パネル８４と遊技盤１１０の丸形開口部１１４および光透過性を有する合成樹脂からなる板状構造体１１３を通して見ることをできる。これによって、遊技者は、スクリーン５に映し出された画像を遊技領域１１２の全域に見ながら遊技領域１１２に行き交う球の動きを見ることができる。
【産業上の利用可能性】
【００２７】
図６に示すように、前記遊技盤１１０の光透過性合成樹脂からなる板状構造体１１３を光遮断性合成樹脂またはベニヤのような光遮断性を有する材料により構成した板状構造体１５５に置換し、この板状構造体１５５を有する遊技盤１１０を映写装置１（図３参照）の取り付けられていない遊技機枠７１に装着するパチンコ機としても適用することができる。この場合、図３に示す遊技機枠７１における中央開口部９６は、図６に示す中央開口部１５６のように形状が変更されることがある。
【００２８】
図７に示すように、遊技盤１１０の突起１４１に対し斜面１６０を形成してもよい。斜面１６０は、突起１４１の裏側から前側に行くにしたがって全体的に前側に傾斜する、方形になっている。つまり、斜面１６０は、図４に示す裏面１４４が前側に傾斜した形態である。
【００２９】
また、図示は省略するが、突起１４１は、遊技盤１１０の下面１４２から下に行くにしたがって徐々に左右方向の横幅が狭くなる台形または半円形であってもよい。図３または図６に示す遊技機枠７１の遊技主体押圧部９７および遊技主体受部９８をヒンジ部材に置換し、遊技盤１１０の右側部にヒンジ部材を設け、この遊技盤１１０のヒンジ部材と遊技機枠７１のヒンジ部材とを互いに嵌め合わせることによって、遊技盤１１０を遊技主体収納室９５に回転して格納するようにしてもよい。
【図面の簡単な説明】
【００３０】
【図１】遊技盤を遊技主体収納室に装着する平面的な工程図（最良の形態）。
【図２】遊技盤を遊技主体収納室に装着する側面的な工程図（最良の形態）。
【図３】遊技機枠および遊技盤を前側から示す斜視図（最良の形態）。
【図４】遊技盤を裏側から示す斜視図（最良の形態）。
【図５】遊技盤と映写装置と遊技機枠との関係を示す模式図（最良の形態）。
【図６】遊技機枠および遊技盤を前側から示す斜視図（別の形態）。
【図７】遊技盤を裏側から示す斜視図（別の形態）。
【符号の説明】
【００３１】
７１  遊技機枠
９５  遊技主体収納室
１０３  遊技主体棚
１１０  遊技盤
１４１  突起
１４２  下面
１４６  斜面
１６０  斜面
【図１】
2005304548.tif 000003
【図２】
2005304548.tif 000004
【図３】
2005304548.tif 000005
【図４】
2005304548.tif 000006
【図５】
2005304548.tif 000007
【図６】
2005304548.tif 000008
【図７】
2005304548.tif 000009